(57)【要約】【課題】  ＳＦＰのユーザでもＭＦＰの機能を試用できるようにする。【解決手段】  ＳＦＰとＭＦＰの画像処理等のハードウェアプラットフォームを共通化し、ＳＦＰでもＭＦＰの機能を使用できるように初期設定しておき、所定の期間もしくは所定のジョブ実行回数後にＭＦＰの機能の一部を使用出来なくし、ＵＩ上に警告表示する。所定のライセンスを購入することによりＭＦＰの機能を再び使用できるようになる。【選択図】  図１１
2006159729.tif 000002
【特許請求の範囲】
【請求項１】
少なくとも1つ以上の機能を備えた画像処理システムであり、少なくとも１つ以上の機能毎に所定の制限を設けた機能制限手段と、前記制限手段により機能を制限されたことを示す表示手段と、前記制限された機能を使用するために所定の回復処理を行う機能回復手段とを備えたことを特徴とする画像処理システム。
【請求項２】
前記機能制限手段は、各機能を使用する回数であることを特徴とする請求項１に記載の画像処理システム。
【請求項３】
前記機能制限手段は、各機能を使用する期間であることを特徴とする請求項１に記載の画像処理システム。
【請求項４】
前記機能回復手段は、所定の操作によってライセンスを取得する手段を含むことを特徴とする請求項１に記載の画像処理システム。
【請求項５】
前記機能回復手段は、課金管理を行う手段を含むことを特徴とする請求項１に記載の画像処理システム。
【請求項６】
前記機能回復手段は、前記機能に応じて自動的に回復することを特徴とする請求項１に記載の画像処理システム。
【発明の詳細な説明】
【技術分野】
【０００１】
本発明は、コピー、プリント、ＦＡＸ等の機能を持つＭＦＰ（Ｍｕｌｔｉ  Ｆｕｎｃｔｉｏｎ  ｐｅｒｉｐｈｅｒａｌ：マルチファンクション周辺機器）等の画像処理装置に関し、特に各機能に対する試用とライセンス及び課金に関するものである。
【背景技術】
【０００２】
近年、コピーやネットワークプリント、ＦＡＸ、e-mail送信等の複数の機能を実現することが可能なＭＦＰ（Ｍｕｌｔｉ  Ｆｕｎｃｔｉｏｎ  ｐｅｒｉｐｈｅｒａｌ：マルチファンクション周辺機器）が提供されている。これらの装置では、画像処理機能や編集機能等の様々な機能を持っており、複雑な処理を行うことも可能である。
【０００３】
これらの従来例としては、例えば特許文献１をあげることが出来る。
【特許文献１】特開２００２−３５４１８７号公報
【発明の開示】
【発明が解決しようとする課題】
【０００４】
しかしながら、これらの装置は複雑な機能が多いため、ユーザにとっては不要な機能があったり、使い方が分からないため必要な機能かどうか分からない場合が多い。また、装置が多機能になるほど一般的には価格が高くなるため、必要以上のコストがかかるという問題があった。
【０００５】
本発明は上記従来の問題点に鑑み、特定の機能を試してみることが可能でかつ必要に応じて機能を再使用することができる画像処理システムを提供することを目的とする。
【課題を解決するための手段】
【０００６】
上記目的を達成するために、本発明の画像処理システムでは、特定の機能に対して、所定の期間もしくは回数だけ使用することが可能な手段と、必要な機能だけライセンスを取得し課金を行う手段を設けることによって、ユーザにとって最適な機能の選択が可能となるような画像処理システムであることを特徴とする。
【発明の効果】
【０００７】
以上詳細に説明したように本発明によれば、特定の機能に対して、所定の期間もしくは回数だけ使用することが可能な手段と、必要な機能だけライセンスを取得し課金を行う手段を設けることによって、ユーザにとって最適な機能の選択が可能となる。
【発明を実施するための最良の形態】
【０００８】
以下、本発明の実施の形態を図面に基づいて説明する。
【０００９】
（第一実施形態）
＜画像処理システムの全体構成＞
図１は、本発明の第一実施形態に係る画像処理システムの全体構成を示すブロック図である。
【００１０】
この画像処理システムは、複写機等で構成される画像入出力装置１００と、この画像入出力装置１００とネットワーク４００を介して接続されたホストコンピュータ（ＰＣ）４０１，４０２と、同様にネットワーク４００上に接続されたデータベースサーバ４１０とで構成されている。
【００１１】
この画像入出力装置１００は、リーダー部２００とスキャナユニット２１０とプリンタ部３００で構成されている。
【００１２】
リーダー部２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とで構成される。
【００１３】
プリンタ部３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００１４】
コントローラ部１１０は、リーダー部２００、プリンタ部３００と電気的に接続され、さらにネットワーク４００を介して、ＰＣ４０１，４０２及びデータベースサーバ４１０と接続されている。
【００１５】
データベースサーバ４１０では、画像入出力装置１００により読み込んだ２値画像及び多値画像をデータベースとして管理する。また、ＰＣ４０１等により属性情報を付加されたファイルもデータベースとして管理する。
【００１６】
コントローラ部１１０は、リーダー部２００を制御して、原稿の画像データを読み込み、プリンタ部３００を制御して画像データを記録用紙に出力してコピー機能を提供する。また、リーダー部２００から読み取った画像データを、コードデータに変換し、ネットワーク４００を介してＰＣ４０１，４０２へ送信するスキャナ機能や、ＰＣ４０１又は４０２からネットワーク４００を介して受信したコードデータを画像データに変換し、プリンタ部３００に出力するプリンタ機能を提供する。
【００１７】
操作部１８０は、コントローラ部１１０に接続され、液晶タッチパネルで構成され、画像入出力装置１００を操作するためのユーザＩ／Ｆを提供する。
【００１８】
＜リーダー部２００及びプリンタ部３００のハード構成＞
図２は、リーダー部２００及びプリンタ部３００のハード構成を示す概観図である。
【００１９】
リーダー部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。
【００２０】
２２２はリーダー画像処理回路部であり、ＣＣＤ２１８から出力される画像データに所定の処理を施し、スキャナＩ／Ｆ１４０を介してコントローラ部１１０へと出力するところである。
【００２１】
３５２はプリンタ画像処理回路部であり、プリンタＩ／Ｆ１４５を介してコントローラ部１１０から送られる画像データをレーザドライバへと出力するところである。
【００２２】
プリンタ部３００のレーザドライバ３１７はレーザ発光部３１３、３１４、３１５、３１６を駆動するものであり、プリンタ画像処理部３５２から出力された画像データに応じたレーザ光をレーザ発光部３１３〜３１６を発光させる。このレーザ光はミラー３４０〜３５１によって感光ドラム３２５〜３２８に照射され、感光ドラム３２５〜３２８にはレーザ光に応じた潜像が形成される。３２１〜３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２３】
用紙カセット３６０、３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００２４】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２５】
＜リーダー画像処理部の構成＞
図３は、リーダー画像処理部２２２の詳細な構成を示すブロック図である。
【００２６】
このリーダー画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤ毎に並べたものでも構わないし、フィルタがオンチップ化又はフィルタがＣＣＤと別構成になったものでも構わない）。
【００２７】
そして、その電気信号（アナログ画像データ）は画像処理部２２２に入力され、クランプ＆Ａｍｐ．＆Ｓ／Ｈ＆Ａ／Ｄ部４０１でサンプルホールド（Ｓ／Ｈ）され、アナログ画像データのダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部４０２で、シェーディング補正及び黒補正が施された後、コントローラ部１１０へと出力される。
【００２８】
＜コントローラ部の構成＞
図４は、コントローラ部１１０の構成を示すブロック図である。
【００２９】
メインコントローラ１１１は、主にＣＰＵ１１２と、バスコントローラ１１３、各種Ｉ／Ｆコントローラ回路とから構成される。ＣＰＵ１１２とバスコントローラ１１３はコントローラ部１１０全体の動作を制御するものであり、ＣＰＵ１１２はＲＯＭ１２０からＲＯＭ・Ｉ／Ｆ１２１を経由して読み込んだプログラムに基づいて動作する。
【００３０】
また、ＰＣから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００３１】
ＤＲＡＭ１２２は、ＤＲＡＭ・Ｉ／Ｆ１２３によってメインコントローラ１１１と接続されており、ＣＰＵ１１２が動作するためのワークエリアや、画像データを蓄積するためのエリアとして使用される。
【００３２】
調歩同期シリアル通信コントローラ１１４はリーダー部２００、プリンタ部３００の各ＣＰＵとシリアルバス１７２，１７３を介して制御コマンドを送受信し、操作部１８０のタッチパネルやキー入力の通信を行う。
【００３３】
ネットワーク・コントローラ１２５は、Ｉ／Ｆ１２７によってメインコントローラ１１１と接続され、コネクタ１２６によって外部ネットワークと接続される。シリアルコネクタ１２４はメインコントローラ１１１と接続されて、外部機器との通信を行う。シリアルバスとしては一般的にＵＳＢが挙げられる。ＦＡＮ１２８はメインコントローラ１１１に接続され、コントローラ部１１０を冷却するのに用いる。
【００３４】
温度監視ＩＣ１４２はシリアルバス１４３によってメインコントローラ１１１に接続されている。温度監視ＩＣ１４２はＦＡＮ１２８の制御や、リアルタイムクロックモジュール１３７の温度補正等に用いられる。
【００３５】
汎用高速バス１３０には、拡張ボードを接続するための拡張コネクタ１３５とＩ／Ｏ制御部１２６，ＨＤコントローラ１３１，コーデック１３３とが接続される。汎用高速バスとしては、一般的にＰＣＩバスが挙げられる。
【００３６】
コーデック１３３は、ＤＲＡＭ１２２に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１３４はコーデック１３３の一時的なワーク領域として使用される。ＤＲＡＭ１２２との間のデータの転送は、バスコントローラ１１３によって制御されＤＭＡ転送される。
【００３７】
ＨＤコントローラ１３１は、外部記憶装置を接続するためのものである。本実施形態においては、このＩ／Ｆを介してハードディスクドライブ１３２を接続している。ハードディスク１３２はプログラムを格納したり、画像データを記憶するのに用いている。
【００３８】
Ｉ／Ｏ制御部１２６は、データバス１４４の制御を行い、ポート１４５や割り込み１４６の制御を行う。パネルＩ／Ｆ１４１は、ＬＣＤコントローラ１４０に接続され、操作部１８０上の液晶画面に表示を行うためのＩ／Ｆと、ハードキーやタッチパネルキーの入力を行うためのキー入力Ｉ／Ｆ１７１とから構成される。
【００３９】
操作部１８０は、液晶表示部と液晶表示部上に張り付けられたタッチパネル入力装置と、複数個のハードキーを有する。タッチパネル又はハードキーにより入力された信号は前述したパネルＩ／Ｆ１７１を介してＣＰＵ１１２に伝えられ、液晶表示部は、パネルＩ／Ｆ１４１から送られてきた画像データを表示するものである。液晶表示部には、本画像処理システムの操作における機能表示や画像データ等を表示する。
【００４０】
リアルタイムクロックモジュール１３７は、機器内で管理する日付と時刻を更新／保存するためのもので、バックアップ電池１３８によってバックアップされている。ＳＲＡＭ１３９はバックアップ電池１３８でバックアップされ、ユーザモードや各種設定情報や、ハードディスクドライブ１３２のファイル管理情報等を蓄積している。
【００４１】
グラフィック・プロセッサ１５１は、ＤＲＡＭ１２２に蓄積された画像データに対して、画像回転、画像変倍、色空間変換、二値化、スキャナ画像入力、及びプリンタ画像出力の処理を行う。ＤＲＡＭ１５２はグラフィック・プロセッサ１５１の一時的なワーク領域として使用される。グラフィック・プロセッサ１５１はＩ／Ｆ１５０を介してメインコントローラ１１１と接続され、ＤＲＡＭ１２２との間のデータの転送は、バスコントローラ１１３によって制御されＤＭＡ転送される。
【００４２】
コネクタ１６０と１５５は、それぞれリーダー部２００とプリンタ部３００とに接続され、同調歩同期シリアルＩ／Ｆ（１７３，１７２）とビデオＩ／Ｆ（１６３，１６２）とから構成される。
【００４３】
スキャナ画像処理部１５７は、コネクタ１６０を介してリーダー部２００と接続され、また、スキャナバス１６１によってグラフィック・プロセッサ１５１と接続されており、リーダー部２００から受け取った画像に対して所定の処理を施す機能を有し、さらに、リーダー部２００から送られたビデオ制御信号をもとに生成した制御信号を、スキャナバス１６１に出力する機能も有する。
【００４４】
ＦＩＦＯ１５８はスキャナ画像処理部１５７と接続され、リーダー部２００から送られてくるビデオ信号のライン補正を行うのに用いられる。プリンタ画像処理部１５３は、コネクタ１５５を介してプリンタ部３００と接続され、また、プリンタバス１５６によってグラフィック・プロセッサ１５１と接続されており、グラフィック・プロセッサ１５１から出力された画像データに所定の処理を施して、プリンタ部３００へ出力する機能を有し、さらに、プリンタ部３００から送られたビデオ制御信号をもとに生成した制御信号を、プリンタバス１６２に出力する機能も有する。
【００４５】
ＤＲＡＭ１５４はプリンタ画像処理部１５３に接続され、ビデオ信号を一定時間遅延させるのに用いられる。ＤＲＡＭ１２２上に展開されたラスターイメージデータのプリンタ部３００への転送は、バスコントローラ１１３によって制御され、グラフィック・プロセッサ１５１、プリンタ画像処理部１５３、コネクタ１５５を経由して、プリンタ部３００へＤＭＡ転送される。
【００４６】
機能管理部１８５では、オプション機能のうち試用中の機能もしくはライセンスを取得した機能の実行可能な回数を管理する。
【００４７】
ライセンス管理部１９０では、ユーザが試用期間が終了した各機能のうち、必要に応じてライセンスを取得した機能について課金の管理を行う。定期メンテナンス時にメンテナンス作業者が、コピーカウンタをチェックして課金請求を行うのと同様に、ライセンスの取得状況に応じて課金請求を行う。またネットワークを経由して遠隔地から課金情報のチェックを行っても構わない。
【００４８】
＜スキャナ画像処理部の構成＞
図５は、スキャナ画像処理部１５７を担う部分の詳細な構成を示すブロック図である。
【００４９】
リーダー部２００からコネクタ１６０を介して送られる画像データに対して、つなぎ＆ＭＴＦ補正部６０１で読取速度に応じてライン毎の遅延量を調整し、読取速度によって変化したＭＴＦを補正する。ＣＣＤ２１８が３ラインＣＣＤの場合、つなぎ処理は３ラインの読取位置が同じになるように信号タイミングを補正する。ＦＩＦＯ１５８はライン遅延のバッファとして用いる。
【００５０】
読取位置タイミングが補正されたデジタル信号は入力マスキング部６０２によって、ＣＣＤ２１８の分光特性及びランプ２１２及びミラー２１４、２１５、２１６の分光特性を補正する。入力マスキング部６０２の出力はＡＣＳカウント部４０５及びグラフィック・プロセッサ１５１へと送られる。
【００５１】
＜プリンタ画像処理部の構成＞
図６は、プリンタ画像処理部１５３の詳細な構成を示すブロック図である。
【００５２】
グラフィック・プロセッサ１５１から、プリンタバス１５６を介して送られる画像データは、まずＬＯＧ変換部７０１に入力される。ＬＯＧ変換部７０１では、ＬＯＧ変換でＲＧＢ信号からＣＭＹ信号に変換する。
【００５３】
次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタ部３００の出力にあった信号に補正される。ＵＣＲ＆マスキング部７０３で処理された信号は補正部７０４で濃度調整された後フィルタ部７０５でスムージング又はエッジ処理される。
【００５４】
出力切り替え７０６で、感光ドラム３２５〜３２８のドラム間の距離を補正するためにＤＲＡＭ１５４にＣＭＹＫ画像毎に一旦画像を蓄積し、ドラム間の距離を補正した画像をコネクタ１５５を介してプリンタ部３００へと送る。
【００５５】
＜グラフィック・プロセッサの構成＞
図７は、グラフィック・プロセッサ１５１の詳細な構成を示すブロック図である。
【００５６】
グラフィック・プロセッサ１５１は、画像回転、画像変倍、色空間変換、二値化、スキャナ画像入力、及びプリンタ画像出力の処理をそれぞれ行うモジュールを有する。ＤＲＡＭ１５２はＤＲＡＭコントローラ８０８を介して各々のモジュールの一時的なワーク領域として使用される。
【００５７】
各々のモジュールが用いるＤＲＡＭ１５２のワーク領域が競合しないよう、予め各々のモジュール毎にワーク領域が静的に割り当てを行う。グラフィック・プロセッサ１５１はＩ／Ｆ１５０を介してメインコントローラ１１１と接続され、ＤＲＡＭ１２２との間のデータの転送は、バスコントローラ１１３によって制御されＤＭＡ転送される。
【００５８】
バスコントローラ１１３は、グラフィックプロセッサ１５１の各々のモジュールにモード等を設定する制御、及び各々のモジュールに画像データを転送するためのタイミング制御を行う。
【００５９】
入力インターフェース８１０は、Ｉ／Ｆ１５０から入力された画像データをクロスバースイッチ８０９に入力する。画像データ形式は２値ラスターイメージデータ、多値ラスターイメージデータ、ＪＰＥＧ等を扱い、ＪＰＥＧ画像の場合は入力インターフェース８１０にて伸張後にラスターイメージデータに変換してクロスバースイッチ８０９にデータ出力する。
【００６０】
出力インターフェース８１１はクロスバースイッチ８０９から入力された画像データをＩ／Ｆ１５０に出力する。クロスバースイッチ８０９から入力される画像データ形式はラスターイメージデータであるが、出力インターフェース８１１でＪＰＥＧ圧縮を行ってＩ／Ｆ１５０にデータ出力することも行う。
【００６１】
＜画像回転部の処理＞
次に、画像回転部８０１における処理手順を説明する。
【００６２】
Ｉ／Ｆ１５０を介して、ＣＰＵ１１２からバスコントローラ１１３に画像回転制御のための設定を行う。この設定によりバスコントローラ１１３は画像回転部８０１に対して画像回転に必要な設定（例えば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。なお、ここでは回転を行う画像サイズを３２画素３２ラインとし、また、画像バス２００８上に画像データを転送させる際に２４ｂｙｔｅ（ＲＧＢ各々８ｂｉｔで１画素分）を単位とする画像転送を行うものとする。
【００６３】
上述のように、３２画素３２ラインの画像を得るためには、上述の単位データ転送を３２３２回行う必要があり、且つ不連続なアドレスから画像データを転送する必要がある。
【００６４】
不連続アドレッシングにより転送された画像データは、読み出し時に所望の角度に回転されているように、ＳＲＡＭ１３６に書き込まれる。例えば、９０度反時計方向回転であれば、転送される画像データをＹ方向に書き込んでいく。読み出し時にＸ方向に読み出すことで、画像が回転される。
【００６５】
３２画素３２ラインの画像回転（ＤＲＡＭ１５２への書き込み）が完了した後、画像回転部８０１はＤＲＡＭ１５２から上述した読み出し方法で画像データを読み出し、バスコントローラ１１３に画像を転送する。
【００６６】
回転処理された画像データを受け取ったバスコントローラ１１３は、連続アドレッシングを以て、ＤＲＡＭ１２２もしくはＩ／Ｆ上の各デバイスにデータを転送する。
【００６７】
こうした一連の処理は、ＣＰＵ１１２からの処理要求が無くなるまで（必要なページ数の処理が終わったとき）繰り返される。
【００６８】
＜画像変倍部の処理＞
次に、画像変倍部８０２における処理手順を説明する。
【００６９】
Ｉ／Ｆ１５０を介して、ＣＰＵ１１２からバスコントローラ１１３に画像変倍制御のための設定を行う。この設定によりバスコントローラ１１３は画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００７０】
画像変倍部８０２は、受け取った画像データを一時ＤＲＡＭ１５２に格納し、これを入力バッファとして用いて、格納したデータに対して主走査、副走査の変倍率に応じて必要な画素数、ライン数の分の補間処理を行って画像を拡大もしくは縮小することで、変倍処理とする。変倍後のデータは再度ＤＲＡＭ１５２へ書き戻し、これを出力バッファとして画像変倍部８０２はＤＲＡＭ１５２から画像データを読み出し、バスコントローラ１１３に転送する。
【００７１】
変倍処理された画像データを受け取ったバスコントローラ１１３は、ＤＲＡＭ１２２もしくはＩ／Ｆ上の各デバイスにデータを転送する。
【００７２】
＜色空間変換部の処理＞
次に、色空間変換部８０３における処理手順を説明する。
【００７３】
Ｉ／Ｆ１５０を介して、ＣＰＵ１１２からバスコントローラ１１３に色空間変換制御のための設定を行う。この設定によりバスコントローラ１１３は色空間変換部８０３及びＬＵＴ（ルック・アップ・テーブル）８０４に対して色空間変換処理に必要な設定（後述のマトリックス演算の係数、ＬＵＴ８０４のテーブル値等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００７４】
色空間変換部８０３は、受け取った画像データ１画素毎に対して、所定のマトリックス演算を施す。次にマトリックス演算後のデータに対して、ＬＵＴ８０４による変換を行う。これによって、非線形の変換をも行うことができる。当然、スルーのテーブルを設定することにより、実質的にＬＵＴ変換を行わないこともできる。
【００７５】
その後、色空間変換部８０３は色空間変換処理された画像データをバスコントローラ１１３に転送する。色空間変換処理された画像データを受け取ったバスコントローラ１１３は、ＤＲＡＭ１２２もしくはＩ／Ｆ上の各デバイスにデータを転送する。
【００７６】
＜画像二値化部の処理＞
次に、画像二値化部８０５における処理手順を説明する。
【００７７】
Ｉ／Ｆ１５０を介して、ＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００７８】
画像二値化部８０５は、受け取った画像データに対して二値化処理を施す。本実施形態では、二値化の手法としては、画像データを所定の閾値と比較して単純に二値化するものとする。もちろん、ディザ法、誤差拡散法、誤差拡散法を改良したものなど、いずれの手法によっても構わない。
【００７９】
その後、画像二値化部８０５は二値化処理された画像データをバスコントローラ１１３に転送する。
【００８０】
二値化処理された画像データを受け取ったバスコントローラ１１３は、ＤＲＡＭ１２２もしくはＩ／Ｆ上の各デバイスにデータを転送する。
【００８１】
＜スキャナ入力部の処理＞
次に、スキャナ入力部８０６における処理手順を説明する。
【００８２】
Ｉ／Ｆ１５０を介して、ＣＰＵ１１２からバスコントローラ１１３にスキャナ入力制御のための設定を行う。この設定によりバスコントローラ１１３はスキャナ入力部８０６に対して必要な設定（入力処理に応じた各種パラメータ等）を行う。必要な設定を行った後に、再度ＣＰＵ１１２からバスコントローラ１１３に対して画像データ転送の許可を行う。
【００８３】
その後、スキャナ画像処理部１５７から入力される同期信号に同期して画像データがスキャナ入力部８０６に入力される。スキャナ入力部８０６は受け取った画像データを入力バッファとして一旦ＤＲＡＭ１５２に格納する。その後スキャナ入力部はＤＲＡＭ１５２に格納した画像をバスコントローラ１１３に転送する。スキャナ入力画像データを受け取ったバスコントローラ１１３は、ＤＲＡＭ１２２もしくはＩ／Ｆ上の各デバイスにデータを転送する。
【００８４】
＜プリンタ出力部の処理＞
次に、プリンタ出力部８０７における処理手順を説明する。
【００８５】
Ｉ／Ｆ１５０を介して、ＣＰＵ１１２からバスコントローラ１１３にプリンタ出力制御のための設定を行う。この設定によりバスコントローラ１１３はプリンタ出力部８０７に対して必要な設定（出力処理に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００８６】
プリンタ出力部８０７は受け取った画像データを一旦ＤＲＡＭ１５２に格納する。その後プリンタ画像処理部１５３から入力される同期信号に応じてＤＲＡＭ１５２に格納した画像をプリンタ画像処理部１５３に出力する。
【００８７】
＜操作部概要＞
図８は、操作部１８０の構成を概観図である。
【００８８】
ＬＣＤ表示部３００１は、ＬＣＤ上にタッチパネルシートが貼られており、システムの操作画面を表示するとともに、表示してあるキーが押されるとその位置情報をコントローラＣＰＵ１１２に伝える。スタートキー３００２は原稿画像の読取り動作を開始する時などに用いる。スタートキー中央部には、緑と赤の２色ＬＥＤがあり、その色によってスタートキーが使える状態にあるかどうかを示す。ストップキー３００３は稼働中の動作を止める働きをする。ＩＤキー３００４は使用者のユーザＩＤを入力するときに用いる。リセットキー３００５は操作部１８０からの設定を初期化するときに用いる。
【００８９】
＜操作画面＞
図９は、操作部１８０に表示する各画面のうち本実施形態に特徴的な画面であるメイン操作画面を示す図である。
【００９０】
本発明の装置が提供する機能は、コピー、送信/ファックス、ボックス、拡張、ライセンスの５つの大きなカテゴリーに分かれており、これらは操作画面３０１０上の上部に表示される５つのメインタブ、つまり、「コピー」タブ３０１１、「送信/ファックス」タブ３０１２、「ボックス」タブ３０１３、「拡張」３０１４、「ライセンス」３０１５に対応している。これらのメインタブを押すことにより、各カテゴリーの画面への切り替えが行われる。他カテゴリーへの切り替えが許可されない場合は、メインタブの表示色が変わり、メインタブを押しても反応しない。
【００９１】
コピーは、自機が有するスキャナとプリンタ部３００を使用して通常のドキュメント複写を行う機能と、自機が有するスキャナとネットワークで接続されたプリンタ部３００を使用してドキュメントの複写を行う機能（リモートコピー）を含む。
【００９２】
送信は、自機が有するスキャナに置かれたドキュメントを、電子メール、リモートプリンタ、ファックス、ファイル転送（ＦＴＰ）及びデータベースに転送する機能であり、宛先を複数指定することが可能である。
【００９３】
ボックスは、スキャナで読み取った原稿画像を本体に保存したり、保存された画像データをプリント出力することが可能である。
【００９４】
拡張は、その他の機能拡張を使用するためのものである。
ライセンスは、各オプション機能に対してライセンスの発行を要求したり、使用期限の情報を表示することが可能である。
またシステム状況として、コピー機能のうち両面機能は、試用が終了してライセンス停止中であることを表示している。またステイプルの機能はライセンスがあと１００回分あることを示している。
【００９５】
図１０は、メイン操作画面から、「ライセンス」タブ３０１５を押した時の、コピーモードにおけるライセンス設定時の操作部画面である。図１０では、両面機能はライセンスが切れて停止中であることを示している。また、ステイプルのライセンスは１００回、ソートのライセンスは５０回、ドキュメントフィーダーのライセンスは３０回であることを示している。
【００９６】
さらに各機能の右側には試用回数が終了してライセンスが無効になった機能に関して、ライセンスを再発行するための更新キーがそれぞれ配置されている。なお、ライセンスの更新はライセンスが有効中に追加更新しても構わない
<基本動作のシーケンス>
図１１は、本実施例における基本動作の手順を示すフローチャートである。なお、図中のS5001〜S5008は各ステップを示す。
【００９７】
まずS5001で試用の初期設定を行う。この初期設定は、オプションとなっていて試用可能にするための機能と各機能の使用回数を予め初期ライセンスとして設定しておく。なお、この設定は通常ユーザではなく出荷時もしくはメンテナンス担当者が設置時のみ行う。
【００９８】
S5002では、各処理設定を行う。このときS5003で、予め設定された各試用可能な機能のライセンス情報と比較してライセンスが無ければステップS5004へ進み、ライセンスがあればステップS5007へ進む。ライセンスが無い場合は、S5002で処理しようとしている機能に応じてライセンスを更新するがどうかを操作部上に表示する。ここでライセンスを更新しなければ設定された処理を行わずに終了する。またライセンスを更新する場合は、ステップS5005でライセンス獲得の処理を行う。ライセンス獲得の処理は、操作部上から更新キーを押し、必要な回数を設定することにより、ライセンスを発行する。このとき機能管理部１８５では各機能ごとのライセンス数が更新され記憶される。またライセンス管理部１９０では課金情報を更新し管理する。なお、ライセンスの更新時には必要に応じて管理者用のパスワードを要求するようにしても良い。
【００９９】
次にステップS5006で獲得したライセンス数を加算する。
【０１００】
ステップS5007では、ステップS5002で設定した処理に応じて、画像処理を行う。
【０１０１】
さらにステップS5008では実行した処理機能に相当するライセンス数を減算することにより再設定を行う。
【０１０２】
<コピー画像出力時のシーケンス>
図１２は、本実施例におけるコピー画像出力の手順を示すフローチャートである。なお、図中のS5101〜S5107は各ステップを示す。
【０１０３】
コピー画像を出力する場合、S5101では、操作部180上でユーザーが当該コピー画像出力ジョブのコピー設定を行う。コピー設定内容は、部数、用紙サイズ、片面/両面、拡大/縮小率、ソート出力、ステイプル止めの有無等である。
【０１０４】
このときS5102で、S5101で設定された各コピー機能のうち必要かつ試用可能な機能のライセンス情報と比較してライセンスが無ければステップS5103へ進み、ライセンスがあれかもしくはライセンスが必要無ければステップS51006へ進む。例えば、図１０で表示されているライセンスがある場合、両面コピーを選択した場合はライセンスが停止されているので、S5103へ進む。またステイプルやソート、ドキュメントフィーダーを使用する場合はライセンスがあるため、S5106へ進む。図１０で表示されている以外のコピー機能についてはライセンスが必要ないためそのままS5106へ進む。
【０１０５】
必要なライセンスが無い場合は、S5103で処理しようとしている機能に応じてライセンスを更新するがどうかを操作部上に表示する。ここでライセンスを更新しなければ設定された処理を行わずに終了する。またライセンスを更新する場合は、ステップS5105でライセンス獲得の処理を行う。ライセンス獲得の処理は、操作部上から更新キーを押し、必要な回数を設定することにより、ライセンスを発行する。このとき機能管理部１８５では各機能ごとのライセンス数が更新され記憶される。またライセンス管理部１９０では課金情報を更新し管理する。
【０１０６】
次にステップS5105で獲得したライセンス数を加算する。
【０１０７】
S5106では、操作部180上でコピー開始指示を与えると、制御装置110のメインコントローラ111はコネクタを介してリーダー部200を制御し、原稿の画像データの読み込み動作を行う。まず、原稿給送ユニット250は、載置された原稿を１枚ずつプラテンガラス211上へ給送し、その際同時に原稿のサイズを検知する。検知された原稿のサイズに基づいて原稿を露光走査することにより、画像データを読み取るわけである。読み取られた画像データはGraphic Processor151で指定された画像形式で圧縮をしてDRAM122上に記憶される。
【０１０８】
S5107では、メインコントローラ111がDRAM122上の画像データを、Graphic Processor151に転送する。
【０１０９】
S5108では、Graphic Processor151が、前記コピー設定パラメータに基づいて画像処理を行う。例えば、拡大400%の設定がなされているときには、Graphic Processor151内のモジュールである画像変倍部を用いて主走査方向、副走査方向、双方への変倍処理を行う。画像データの画像処理が完了するとS5105へ進む。
【０１１０】
S5109では、Graphic Processor151がメインコントローラ111へ画像処理後の画像データを指定された画像形式で圧縮をおこなって転送する。メインコントローラ111は転送されてきた画像データをDRAM122上に記憶する。
【０１１１】
S5110では、メインコントローラ111はDRAM122上に記憶された画像データを指定されたファイル形式でファイル化し、ファイル化された画像データをHDコントローラ131を経由してHDドライブ132に転送することで読み込んだ画像データをHDドライブ132に格納する。
【０１１２】
これらの動作はDFユニット250に原稿が存在する限り繰り返し行われる。
【０１１３】
S5111では、画像データをプリンタ部300へと転送する。この時、プリントを行う画像データファイルがDRAM122上に存在しない場合はHDドライブ132から画像ファイルを読み込み、DRAM122に格納する。メインコントローラ111はGraphic Processor151，プリンタ画像処理153およびコネクタ155を介して、プリンタ部300を制御しつつ、適切なタイミングでDRAM122上の画像データを、プリンタ部300へと転送する。
【０１１４】
S5112では、制御装置110が、プリンタ部300を制御して画像データをプリント出力する。
【０１１５】
全ての画像データの転送が完了すると、すなわち当該コピージョブが終了すると、S5113では処理を行った機能に対してライセンス数の減算を行って終了する。
【０１１６】
なお、ライセンス数の管理は処理される画像データ１ページ毎でも良いし、機能によっては同じ処理が複数ページに渡って続く場合には、まとめて１つのジョブ毎に管理しても構わない。ページ毎にライセンスを管理する場合、複数ページに渡るプリント時の途中でライセンスが無くなる事によりプリントが止まってしまうことも考えられるが、１つのジョブ毎にライセンスを管理する場合は、１つのジョブが終了するまではライセンスが切れることは無くなる。
【０１１７】
（第二実施形態）
前記第1の実施例では、試用のためのライセンス管理を各機能の処理の回数で制御していたが、時間で制御することも可能である。この場合、所定の時間内であれば各機能を何回でも試用することが可能となる。また、第1の実施例では、コピーモードにおける各処理機能についてライセンス管理を行っていたが、コピー以外にもFAX,ネットワーク送信等のシステム機能をライセンス管理することも可能である。
【０１１８】
以下の本実施例を詳細に説明する。
【０１１９】
図１３は、メイン操作画面から、「送信/ファックス」タブ３０１２を押した時の、送信／ファックス設定時の操作部画面である。送信／ファックス設定では、スキャナで読み込んだ画像データの送り先を選択したり、作成することが可能である。送り先は、ファックス、電子メール、ネットワークファイル等に設定することが出来る。図１３では、ファックスの設定画面にハッチングがかけられており設定することが出来なくなっている。また、システム状況の表示部ではファックス送信のライセンスが無いことを示している。
【０１２０】
図１４は、メイン操作画面から、「ライセンス」タブ３０１５を押した時の、ライセンス設定時の操作部画面である。図１４では、コピーとプリントは試用期間やライセンスに関係なく使用できることを示している。また、ファックス機能は、試用期間またはライセンスが切れて停止中であることを示している。
【０１２１】
さらに、ネットワーク送信はライセンスの残り日数が３０日であり、E-mail送信のライセンスの残り日数が１０日であることを示している。
【０１２２】
ファックス、ネットワーク送信、E-mail送信のライセンスを更新するためのキーがそれぞれ配置されている。
【０１２３】
<基本動作のシーケンス>
図１５は、本実施例における基本動作の手順を示すフローチャートである。なお、図中のS5201〜S5208は各ステップを示す。
【０１２４】
まずS5201で試用期間の初期設定を行う。この初期設定は、オプションとなっていて試用可能にするための機能と各機能の使用日数を予め初期ライセンスとして設定しておく。なお、この設定は通常ユーザではなく出荷時もしくはメンテナンス担当者が設置時のみ行う。
【０１２５】
S5202では、各処理設定を行う。このときS5203で、予め設定された各試用可能な機能のライセンス情報と比較してライセンスが無ければステップS5204へ進み、ライセンスがあればステップS5207へ進む。ライセンスが無い場合は、S5202で処理しようとしている機能に応じてライセンスを更新するがどうかを操作部上に表示する。ここでライセンスを更新しなければ設定された処理を行わずに終了する。またライセンスを更新する場合は、ステップS5205でライセンス獲得の処理を行う。ライセンス獲得の処理は、操作部上から更新キーを押し、必要な回数を設定することにより、ライセンスを発行する。このとき機能管理部１８５では各機能ごとのライセンス数が更新され記憶される。またライセンス管理部１９０では課金情報を更新し管理する。なお、ライセンスの更新時には必要に応じて管理者用のパスワードを要求するようにしても良い。
【０１２６】
次にステップS5206で獲得したライセンス日数を加算する。
【０１２７】
ステップS5207では、ステップS5202で設定した処理に応じて、画像処理を行う。
【０１２８】
（第三実施形態）
前記までの実施例では、画像処理システムの操作部上からライセンスの更新や情報の表示を行っていたが、ネットワークに接続されているＰＣ等からのプリント時には、プリンタドライバ上からライセンス等の設定を行うことも可能である。
【０１２９】
この場合、接続されているＰＣまたはユーザ毎にライセンスの更新を許可するかどうかを予め設定しておくことも考えられる。ＰＣまたはユーザ毎の管理情報は画像処理システム内のライセンス管理部にて管理することが可能である。あるいは、ネットワークに接続されたサーバによって管理することも考えられる。また、ライセンスの更新の設定だけでなく、試用期間または回数終了後のライセンス更新後に各機能を利用できるＰＣまたはユーザを制限することも同様に可能である。
【０１３０】
（第四実施形態）
前記までの実施例では、画像処理システムの操作部上またはネットワークに接続されているＰＣのプリンタドライバからライセンス等の設定を行っていた。しかしながらファックス画像の受信の場合、通常送信者は公衆回線を介した別の離れた場所から送信しているため、受信側の画像処理システムのライセンスの更新をすることが難しい。よってファックス受信の場合は、試用期間または回数終了等でライセンスが無い場合、受信した画像データをＨＤＤ等の記憶装置に保存しておき、操作部上からライセンスの更新手続きを完了したときに、保存された画像データを出力することが考えられる。なお、ライセンスの更新は操作部からだけでなく、ネットワークに接続されたＰＣ等からの設定も可能である。
【０１３１】
さらに、ファックス等の受信の場合、予め特定のユーザにより自動的にライセンスを更新するように設定しておくことも可能である。この場合、受信したファックデータを記憶手段に保存したままで出力できないという問題が起きなくなる。
【０１３２】
このように画像データの受信プリント等機能によっては、必要な分だけライセンス自動的に更新するように設定しておくことにより、ユーザの作業を軽減することが可能となる。
【０１３３】
（その他の実施形態）
なお、本発明は、前述した各実施の形態の機能を実現するソフトウェアのプログラムコードを記憶した記憶媒体を、システムあるいは装置に供給し、そのシステムあるいは装置のコンピュータ（又はＣＰＵやＭＰＵ）が記憶媒体に格納されたプログラムコードを読み出し実行することによっても、達成されることは言うまでもない。
【０１３４】
この場合、記憶媒体から読み出されたプログラムコード自体が本発明の新規な機能を実現することになり、そのプログラムコードを記憶した記憶媒体は本発明を構成することになる。
【０１３５】
プログラムコードを供給するための記憶媒体としては、例えば、フレキシブルディスク、ハードディスク、光磁気ディスク、光ディスク、ＣＤ−ＲＯＭ、ＣＤ−Ｒ、磁気テープ不揮発性のメモリカード、ＲＯＭなどを用いることができる。
【０１３６】
また、コンピュータが読み出したプログラムコードを実行することによって、前述した実施の形態の機能が実現される他、そのプログラムコードの指示に基づき、コンピュータ上で稼動しているＯＳなどが実際の処理の一部又は全部を行い、その処理によっても前述した実施の形態の機能が実現され得る。
【０１３７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によっても前述した実施の形態の機能が実現され得る。
【０１３８】
本発明は、前述した実施の形態の機能を実現するソフトウェアのプログラムコードを記録した記憶媒体からそのプログラムをパソコン通信など通信ラインを介して要求者にそのプログラムを配信する場合にも適用できることは言うまでもない。
【図面の簡単な説明】
【０１３９】
【図１】本発明の第一実施形態に係る画像処理システムの全体構成を示すブロック図である。
【図２】リーダー部２００及びプリンタ部３００のハード構成を示す概観図である。
【図３】リーダー画像処理部２２２の詳細な構成を示すブロック図である。
【図４】コントローラ部１１０の構成を示すブロック図である。
【図５】スキャナ画像処理部１５７を担う部分の詳細な構成を示すブロック図である。
【図６】プリンタ画像処理部１５３の詳細な構成を示すブロック図である。
【図７】グラフィック・プロセッサ１５１の詳細な構成を示すブロック図である。
【図８】操作部１８０の構成を概観図である。
【図９】基本操作画面を示す図である。
【図１０】ライセンス管理画面を示す図である。
【図１１】基本動作のシーケンスを示すフローチャートである。
【図１２】コピー動作のシーケンスを示すフローチャートである。
【図１３】第２の実施形態における送信／ファックスの操作画面を示す図である。
【図１４】第２の実施形態におけるライセンス管理画面を示す図である。
【図１５】第２の実施形態における基本動作のシーケンスを示すフローチャートである。
【符号の説明】
【０１４０】
１００  画像入出力装置
２００  リーダー部
２１０  スキャナユニット
２５０  原稿給紙ユニット
３００  プリンタ部
４０１，４０２  ホストコンピュータ（ＰＣ）
４１０  データベースサーバ
【図１】
2006159729.tif 000003
【図２】
2006159729.tif 000004
【図３】
2006159729.tif 000005
【図４】
2006159729.tif 000006
【図５】
2006159729.tif 000007
【図６】
2006159729.tif 000008
【図７】
2006159729.tif 000009
【図８】
2006159729.tif 000010
【図９】
2006159729.tif 000011
【図１０】
2006159729.tif 000012
【図１１】
2006159729.tif 000013
【図１２】
2006159729.tif 000014
【図１３】
2006159729.tif 000015
【図１４】
2006159729.tif 000016
【図１５】
2006159729.tif 000017